(57)【要約】【課題】本発明は性同一性障害者  ＦｔＭ  女性から男性へ性別移行する者の為に発明された男性用下着である。この下着の開発によって、多くのＦｔＭの生活に安心を与える事ができる。これはＦｔＭ多機能下着であり、男性器の膨らみを表現できるクッション、そのクッションを固定させるためのポケット、生理中でも外部に見える事がなく安定して羽根つきナプキンを固定する帯。この発明によってＦｔＭの身体的なコンプレックスを解消するだけでなく、精神的苦痛も改善される事が大いに期待できる。【解決手段】性同一性障害者のＦｔＭに特化した多機能な下着である。ＦｔＭが抱える、性器の膨らみのないコンプレックス。その性器の膨らみを固定させ、自然体に見せ、軽くて違和感を感じずに生活できる。また、生理が来てしまった時、女性用の下着を着る精神的苦痛を味わずにナプキンを固定する為の帯がある。沢山のＦｔＭの生活を支える画期的な下着である。【選択図】図５
2015074868.tif 000002
【特許請求の範囲】
【請求項１】
１男性用下着を着る際に、自然な男性器の膨らみを表現できるクッション。
【請求項２】
２そのクッションを固定させる為のポケット。
【請求項３】
３生理用ナプキンを下着から見えないように固定する帯。
【発明の詳細な説明】
【技術分野】
【０００１】  性同一性障害者のうち、女性から男性に性別移行するＦｔＭの方の日常の生活の困難さを緩和する為に発明した製品。ＦｔＭは生まれつき女性の体でありながらも、男性の意思を持つ精神的障害があり、その人々は性別適合手術を受ける等、身体を希望通りの体へ移行するや、自分の希望する性別での生活を強く望む。しかしその手術には多大な費用が掛かり、大きな傷を残し、リスクを伴い危険もある。
男性器のような膨らみを下半身に求めるＦｔＭの為に、下着の内側にポケットを有する事で、膨らみを作り、ずれたり、落とすことがなく表現する事ができる。その膨らみを表現するクッションは、女性の胸パットの素材に似ており、中がスポンジで出来ている。そのため、軽く、下着の中に入れていても違和感を感じ無い。また、スポンジを材料としている為水に濡れても絞る事で水分を無くし、乾かす事が簡単である。その為、洗濯が簡単に行え、デリケートな部分を保護する下着も、クッションも清潔に使用できる。
この下着の生殖器に当たる部分には、布が二重構造になっている。生理が来るＦｔＭの者が通常の男性用下着を使用したいのにもかかわらず、女性用下着を着用しナプキンを付け、その上に男性用下着を着ている事が一般的であった。この二重構造が取り付けられた事によって、この下着一枚で生理用ナプキンの羽根つきを使用すれば、下着外部にナプキンが見える事もなく、生理中でも自然な男性用下着を身に着ける事で、精神的ストレスを緩和する事ができる。
男性器の膨らみを求めない場合は、ポケットからクッションを取れば平らにでき、膨らみを求めれば、クッションを入れる事で膨らみを実現できるので、使用者の用途に合わせる事ができる。
また、ポケット内に、予備のナプキンを仕込ませる事ができるので、ナプキンを持って歩く事を懸念するＦｔＭにとっては、様々なコンプレックスを解消できる唯一の下着である。
また、デザインもオシャレにする事によって、ファッションとしても楽しむ事ができる。
【背景技術】
【０００２】  一般的なボクサーパンツでは、ＦｔＭは男性器の膨らみを表現する事ができないが、この製品は、ＦｔＭの求める男性器の膨らみを自然体に表現する事ができる。
・生理が来てしまったＦｔＭは、女性用の下着を身に着け、更にその上に男性用下着を着る事を一般的に行っていましたが、この製品を使えば、一枚の下着でナプキンもつけられ、羽根つきナプキンでしっかり固定でき、ポケットの中に予備のナプキンを準備する事ができ画期的である。
【発明の概要】
【発明が解決しようとする課題】
【０００３】従来の男性用ボクサーパンツは、男性の為の下着であり、ＦｔＭのコンプレックスを解決する製品はなかった。
ＦｔＭは日常的に男性として生活する事を望む為、着替える時の下着の膨らみがない恥ずかしさ、寝転がる時に、膨らみのない股間を気にする。
生理が来ている事を誰にも知られたくない。また、ナプキンを使用していると他人に知られたくない。
この製品がオシャレにデザインされた事によって、ファッションも楽しめる事ができる。
人前で堂々と下着になり着替える事ができる為、就職、トイレ、日常生活が快適なものになる事があると期待できる。ＦｔＭ当事者の生活をより良いものにする狙い。
商品の機能、使い方は人により更なる使用方法も期待できる。
この製品を使う事によって、生活のしやすさと、精神的安心も期待できる。
【課題を解決するための手段】
【０００４】本来ＦｔＭにはない、男性器の様な膨らみを実現できる。
生理中でも誰にも気が付かれず、男性用下着でナプキンが付けられる。
【発明の効果】
【０００５】発明者の浅井はタイ国で性別適合手術を行う者のエージェントをしており、年間５０名以上の手術をサポートし、当事者との密接な意見を聞き込み調査したところ、ほとんどの当事者がこの製品を待ち望んでいる。
また、この当事者は日本人だけの問題ではなく世界中に当事者が何百万〜何千万人もいる。
この製品を世界中の当事者に向けて提供を予定している。
【図面の簡単な説明】
【０００６】
【図１】膨らみ用クッション  下着のポケットの中にこれを入れる事によって、自然体な男性の生殖器の膨らみが実現できる。素材の内部がスポンジで出来ている為に、軽く、違和感が無い。そして日常生活に支障のない行動が可能。水に濡れてもすぐに乾き、洗濯が可能なので、清潔な状態を維持できる。スポンジの周りは布で加工されている為に、ボロボロ崩れる事がなく、乾かせば元の状態に戻りやすい。１の図は、正面／裏面、右から、左から見た図である。
【図２】製品の正面からの図  ・手にとっても、見ても何も変わらない普通の男性用下着に見える。
【図３】製品の裏側  ・裏から見ても、普通の男性用ボクサーパンツにしか見えない。
【図４】製品を裏返した内部の図  ・２のポケットの部分に１のクッションを入れて、膨らみを作る  ・３の二重生地に生理用ナプキン羽根つきを付けて、ずれないように固定する事ができ、ナプキンを付けている事は他人に気が付かれる事がない。
【図５】ボクサーパンツに１のクッションを２のポケットに入れる事は簡単に出し入れする事が可能であるが、ポケットになっている為に落としてしまう心配がない。予備のナプキンもこのポケットの中に入れて準備する事ができる。
【図６】股の部分の内側を広げた図  ・股の部分がに約４ｃｍほどの帯を付けた３の生地がある事によって、生理中のＦｔＭが気軽にナプキンを使用する事ができる。
【図７】生理用羽根つきナプキンを付ける  ・３の部分に羽根つきナプキンを付けられる帯があり、羽を折り返せば、しっかりとナプキンは固定れ、ずれたり、外部に見える事がない。
【発明を実施するための形態】
【０００７】実際に下着を着てみると、自然な膨らみを確保でき、ナプキンを装着してもずれる事がなく、下着の中でおさまるので安心して生活ができる。
【実施例１】
【０００８】
【産業上の利用可能性】
【０００９】本製品は、今までになかった性同一性障害者ＦＴＭの者の私生活を快適に過ごせられるものである。その当事者の生活のしずらさは普通と呼ばれる人には想像がつかない世界である。
その為に精神的苦痛の中で生きていく当事者の生活と、メンタル面での改善をする為に発明したものである。
【符号の説明】
【００１０】    １は偽造男性器クッションであり、２の下着の中のポケットに入れる事によって自然体な膨らみを表現できる。
２は、その１のクッションがずれたりしないように固定するポケットである。
３は生理用ナプキンの羽根つきを固定する為の帯である。
【図１】
2015074868.tif 000003
【図２】
2015074868.tif 000004
【図３】
2015074868.tif 000005
【図４】
2015074868.tif 000006
【図５】
2015074868.tif 000007
【図６】
2015074868.tif 000008
【図７】
2015074868.tif 000009
【図８】
2015074868.tif 000010
【手続補正書】
【提出日】平成26年2月7日(2014.2.7)
【手続補正１】
【補正対象書類名】明細書
【補正対象項目名】０００６
【補正方法】変更
【補正の内容】
【０００６】
【図１】膨らみ用クッション  下着のポケットの中にこれを入れる事によって、自然体な男性の生殖器の膨らみが実現できる。素材の内部がスポンジで出来ている為に、軽く、違和感が無い。そして日常生活に支障のない行動が可能。水に濡れてもすぐに乾き、洗濯が可能なので、清潔な状態を維持できる。スポンジの周りは布で加工されている為に、ボロボロ崩れる事がなく、乾かせば元の状態に戻りやすい。１の図は、正面／裏面、右から、左から見た図である。
【図２】製品の正面からの図・手にとっても、見ても何も変わらない普通の男性用下着に見える。
【図３】製品の裏側・裏から見ても、普通の男性用ボクサーパンツにしか見えない。
【図４】製品を裏返した内部の図・２のポケットの部分に１のクッションを入れて、膨らみを作る・３の二重生地に生理用ナプキン羽根つきを付けて、ずれないように固定する事ができ、ナプキンを付けている事は他人に気が付かれる事がない。
【図５】ボクサーパンツに１のクッションを２のポケットに入れる事は簡単に出し入れする事が可能であるが、ポケットになっている為に落としてしまう心配がない。予備のナプキンもこのポケットの中に入れて準備する事ができる。
【図６】股の部分の内側を広げた図・股の部分がに約４ｃｍほどの帯を付けた３の生地がある事によって、生理中のＦｔＭが気軽にナプキンを使用する事ができる。
【図７】生理用羽根つきナプキンを付ける・３の部分に羽根つきナプキンを付けられる帯があり、羽を折り返せば、しっかりとナプキンは固定れ、ずれたり、外部に見える事がない。
【図８】実際に着用したものの様子。外部から見ると普通の男性用の下着にしか見える事はなく、中に膨らみのクッションや、生理用ナプキンを使用している事がわからない。